(57)【要約】【課題】取付姿勢の多様な変化に対して、安定した塵埃除去性能を発揮するエアフィルタ装置を備えた投写型映像表示装置を提供すること。【解決手段】光源ランプの光軸を水平状態に保持して投写方向を３６０度変更できるようにした投写型映像表示装置用であって、空気吸込口にエアフィルタ装置（この場合フィルタユニット３）が設けられている。エアフィルタ装置は、エアフィルタ（第１エアフィルタ４０）と、エアフィルタを掃除する掃除部とを有する。掃除部は、エアフィルタに付着した塵埃を掻き取るように回転しながら、前記エアフィルタの風上側表面上を前記光源ランプの光軸と平行な方向に移動する回転ブラシと、回転ブラシから除去された塵埃を受け入れるダストボックスとを備える。そして、ダストボックス６５は、回転ブラシ６４の回転中心軸と平行に配置される細長容器であって、塵埃取入口６５Ａが回転ブラシ６４に向かって開口されている。【選択図】図９
2011257549.tif 000002
【特許請求の範囲】
【請求項１】
光源ランプの光軸方向を水平に保持した状態で投写方向を３６０度変更して取り付け可能に構成されるとともに、光学系機器を冷却する冷却空気の空気吸込口にエアフィルタ装置が設けられた投写型映像表示装置であって、
前記エアフィルタ装置は、吸入される空気中の塵埃を捕捉するエアフィルタと、エアフィルタを掃除する掃除部とを有し、
前記掃除部は、エアフィルタに付着した塵埃を掻き取るように回転しながら、前記エアフィルタの風上側表面上を前記光源ランプの光軸と平行な方向に移動する回転ブラシと、回転ブラシから除去された塵埃を受け入れるダストボックスとを備え、
前記ダストボックスは、前記回転ブラシの回転中心軸と平行に配置される細長容器であって、回転ブラシからの塵埃を受け入れる塵埃取入口が回転ブラシに向かって開口するように形成されている
ことを特徴とする投写型映像表示装置。
【請求項２】
前記掃除部は、モータ駆動により、前記回転ブラシと前記ダストボックスとが一体的に移動可能とされるとともに、回転ブラシが回転駆動されるように構成されている
ことを特徴とする請求項１記載の投写型映像表示装置。
【請求項３】
請求項１又は２記載のエアフィルタ装置であって、
前記ダストボックスの塵埃取入口には、前記回転ブラシの長手方向に延びる櫛歯状部により掃除運転中の回転ブラシを梳くように構成された除塵体が設けられている
ことを特徴とする投写型映像表示装置。
【請求項４】
請求項１〜３の何れか１項に記載の投写型映像表示装置において、
前記ダストボックスは、仕切壁により長手方向が複数に仕切られている
ことを特徴とする投写型映像表示装置。
【請求項５】
請求項４記載の投写型映像表示装置において、
前記仕切壁は、平板状部材からなり、この平板状部材の平板面が回転ブラシの移動方向を向くように取り付けられている
ことを特徴とする投写型映像表示装置。
【請求項６】
請求項１〜５の何れか１項に記載の投写型映像表示装置において、
前記エアフィルタ装置は、投写型映像表示装置の外部から着脱自在に取り付けられるフィルターユニットして構成されている
ことを特徴とする投写型映像表示装置。
【請求項７】
請求項６記載の投写型映像表示装置において、
前記エアフィルタ装置は、投写レンズが突出する正面からスライド式に着脱自在に取り付けられるフィルターユニットとして構成されている
ことを特徴とする投写型映像表示装置。
【発明の詳細な説明】
【技術分野】
【０００１】
本発明は、投写型映像表示装置に関し、特に、エアフィルタを掃除するエアフィルタ装置を備えた投写型映像表示装置に関する。
【背景技術】
【０００２】
投写型映像表示装置は、一般に、光源ランプやライトバルブ等の光学系機器を冷却するために冷却空気が使用されている。また、冷却空気としては機外空気が用いられており、外装ケースの一面には機外空気を機内に取り入れるための空気吸込口が設けられている。しかし、冷却空気として取り入れる空気中に塵埃が含まれていると、液晶パネル等の光学系機器の表面に塵埃が付着し映像の質が低下する。そこで、空気吸込口には、一般に空気中の塵埃を捕捉するためのエアフィルタが設けられ、このエアフィルタにより空気中の塵埃を捕捉するように構成されている。
【０００３】
ところで、空気吸込口に取り付けられるエアフィルタは、長時間使用されると目詰まりを起こす。また、エアフィルタが目詰まりを起こした場合は、空気吸込口の通風抵抗が増加して光学系機器への冷却空気量が不足し、光源ランプや、液晶パネル等の光学系機器の冷却能力が低下するという問題が発生する。このため、エアフィルタは、目詰まりしないように頻繁に掃除されなければならない。しかしながら、エアフィルタを取り外して掃除することは煩わしい。特に、投写型映像表示装置の場合は、正立投写設置以外に上向き投写設置、天井吊投写設置、下向き投写設置などのいろいろな姿勢で設置されるため、設置位置及び設置状態によって作業も困難となることもある。そこで、近年、エアフィルタを取り付けた状態で掃除できるようにしたエアフィルタ装置を備えることにより、エアフィルタの交換、掃除などのメンテナンスを軽減したものが開発されている。
【０００４】
その一例として特許文献１に記載されたものがある。これは、投写型映像表示装置の空気吸込口（特許文献１では外気の取り入れ口）に対し、プレフィルタを自動的に掃除することのできるフィルターユニットを外部から取り外し可能に設けることができるようにしたものである。このフィルターユニットは、掃除時に空気吸込み面上で一定方向に移動するように取り付けられているプレフィルタと、プレフィルタを移動させるための駆動メカユニットと、プレフィルタを風上側と風下側とから挟み込むように配置された、塵埃を除去するためのブラシと、小さい塵埃を捕捉するための第２のエアフィルタとから構成されている。なお、このフィルターユニットにおいて、ブラシは、その長手方向がプレフィルタの移動方向と直交するように、プレフィルタの移動領域の中央部に取り付けられている。
【０００５】
また、エアフィルタを取り付けた状態で掃除できるようにしたエアフィルタ装置は、空気調和機用としても開発されている。その理由は、空気調和機におけるエアフィルタも長時間の使用により目詰まりが生ずるからであり、エアフィルタが目詰まりを起こすと、空気吸込口の通風抵抗が増加し、吸い込み空気量の低下により空調能力が低下するからである。このため、空気調和機のエアフィルタも、目詰まりしないように頻繁に掃除されなければならない。しかし、空気調和機におけるエアフィルタの掃除も、エアフィルタを取り外して掃除することは煩わしいため、前記投写型映像表示装置の場合と同様にエアフィルタを取り付けた状態で掃除できるようにしている。特許文献２はその一例である。
【０００６】
特許文献２のエアフィルタ装置は、空気調和機に適用されるものであって、吸引される空気中の塵埃を捕捉するエアフィルタと、エアフィルタの風上側表面部を上下方向に移動してエアフィルタに付着した塵埃を掻き取るための、軸体が水平方向に配置された回転ブラシ（回転掃除体）を備える。また、このエアフィルタ装置は、回転ブラシを回転自在に収納する塵埃除去本体と、前方から塵埃除去本体の下部に着脱自在に挿入されて装着されるダストボックスとを備えている。そして、前述の回転ブラシで掻き取られた塵埃は、下方に配置されたダストボックスに受け止められて貯留するように構成されている。
【先行技術文献】
【特許文献】
【０００７】
【特許文献１】特開２００８−６５０２１号公報
【特許文献２】特開２００９−８２８３７号公報
【発明の概要】
【発明が解決しようとする課題】
【０００８】
上記特許文献１のエアフィルタ装置は、フィルターユニットの中央部に固定されているブラシに対し、プレフィルタの風上側表面を擦り付けながらプレフィルタを移動させるため、プレフィルタの収納スペースが大きくなるという問題があった。また、ブラシを収納するフィルターユニットの筐体内にプレフィルタから除去された塵埃を貯留しているので、プレフィルタから除去された塵埃がブラシの周辺から再飛散する恐れがあった。
【０００９】
一方、特許文献２のエアフィルタ装置は、特許文献１のようにエアフィルタを移動させることはせずに、回転ブラシ、ダストボックス、モータ等を備えた塵埃除去手段がエアフィルタの風上側表面部を上下方向に移動するように構成されているため、特許文献１に比べエアフィルタの収納スペースが小さくてすむという利点がある。また、回転ブラシで除去された塵埃は、下方のダストボックスに貯留され再飛散の恐れがない。しかしながら、この特許文献２のエアフィルタ装置は、塵埃取入口を上方に開口したダストボックスに塵埃を貯留するものであって、エアコンのように取り付け方向が一定の装置には適用できるが、取付姿勢が多様に変化する投写型映像表示装置に対してはそのまま適用することができない。
【００１０】
本発明は、このような従来技術における課題に鑑み成されたものであって、取付姿勢の多様な変化に対して、安定した塵埃除去性能を発揮することのできるエアフィルタ装置を備えた投写型映像表示装置を提供することにある。
【課題を解決するための手段】
【００１１】
本発明に係る投写型映像表示装置は、上記課題を解決するために、光源ランプの光軸方向を水平に保持した状態で投写方向を３６０度変更して取り付け可能に構成されるとともに、光学系機器を冷却する冷却空気の空気吸込口にエアフィルタ装置が設けられた投写型映像表示装置であって、前記エアフィルタ装置は、吸入される空気中の塵埃を捕捉するエアフィルタと、エアフィルタを掃除する掃除部とを有し、前記掃除部は、エアフィルタに付着した塵埃を掻き取るように回転しながら、前記エアフィルタの風上側表面上を前記光源ランプの光軸と平行な方向に移動する回転ブラシと、回転ブラシから除去された塵埃を受け入れるダストボックスとを備え、前記ダストボックスは、前記回転ブラシの回転中心軸と平行に配置される細長容器であって、回転ブラシからの塵埃を受け入れる塵埃取入口が回転ブラシに向かって開口するように形成されていることを特徴とする。
【００１２】
このように構成された本発明に係る投写型映像表示装置によれば、回転ブラシがエアフィルタの風上側表面部を移動することにより、エアフィルタを取り付けた状態のままで掃除することができる。また、従来技術のようにエアフィルタを移動させる必要がないので、エアフィルタの収納スペースを小さくすることができる。また、光源ランプの光軸が常に水平方向となるように投写方向が変更される投写型映像表示装置であり、回転ブラシが光源ランプの光軸と平行な方向に移動されるので、回転ブラシは常に水平方向に移動されることになる。加えて、ダストボックスの塵埃取入口が回転ブラシに向かって開口するように形成されているので、ダストボックスの塵埃取入口も常に水平方向に向かって開口している。したがって、回転ブラシの回転により除去された塵埃は、投写型映像表示装置の投写方向が変化しても常に安定してダストボックス内に貯留される。また、ダストボックスに貯留される塵埃がダストボックスから漏出するおそれがない。
【００１３】
また、前記掃除部は、モータ駆動により、前記回転ブラシと前記ダストボックスとが一体的に移動可能とされるとともに、回転ブラシが回転駆動されるように構成されていることが好ましい。このように構成すると、回転ブラシとダストボックスとの相対位置関係が常に一定の状態となるので、回転ブラシを利用してダストボックスからの塵埃の漏出をより確実に防止することができる。また、回転ブラシを含む掃除部の移動方向が常に水平方向となるため、モータに作用する重力の負荷が投写型映像表示装置の設置状態により変化するということがなく、モータを安定した速度で回転することができるので安定した掃除を行うことができる。
【００１４】
また、前記ダストボックスの塵埃取入口には、前記回転ブラシの長手方向に延びる櫛歯状部により掃除運転中の回転ブラシを梳くように構成された除塵体が設けられていることが好ましい。このように構成されていると、掃除運転中の回転ブラシに付着した塵埃を効率よく除去するとともに、除去した塵埃を容易にダストボックス内に取り入れることができる。
【００１５】
また、前記ダストボックスは、仕切壁により長手方向が複数に仕切られていることが好ましい。投写型映像表示装置は、光源ランプの光軸を水平に保持して種々の方向に取り付けられるため、上向き投写設置や下向き投写設置の場合に、ダストボックスの長手方向が鉛直方向となることがある。この場合においてダストボックス内を仕切る仕切壁がない場合は、ダストボックス内全体の塵埃が一端に偏って貯留されるため、ダストボックス内全体が塵埃で平均的に満たされることなく、偏って貯留される端部の開口部から塵埃が漏出するおそれがある。しかし、本発明のようにダストボックスの内部が仕切壁により長手方向に複数室に仕切られていると、上向き投写設置や下向き投写設置の場合にダストボックス内全体の塵埃が一端に偏って貯留されることがないので、ダストボックスに貯留される塵埃廃棄の周期を長くすることができる。
【００１６】
また、前記仕切壁は、平板状部材からなり、この平板状部材の平板面が回転ブラシの移動方向を向くように取り付けられていることが好ましい。このように構成すると、簡単な部材で仕切壁を形成することができるとともに、仕切壁をダストボックスの強度を向上させるリブとして作用させることができる。
【００１７】
また、前記エアフィルタ装置は、投写型映像表示装置の外部から着脱自在に取り付けられるフィルターユニットして構成されていることが好ましい。このように構成されていると、エアフィルタ装置を取り出した状態で、ダストボックス内に貯留された塵埃を廃棄したり、エアフィルタを掃除したりするなどのメンテナンスを行うことができるので、メンテナンス作業が楽になる。また、多様な状態に取り付けられる投写型映像表示装置に好適なエアフィルタ装置とすることができる。
【００１８】
また、このような投写型映像表示装置において、前記エアフィルタ装置は、投写レンズが突出する正面側からスライド式に着脱自在に取り付けられるフィルターユニットとして構成されていることが好ましい。投写型映像表示装置の投写レンズ側は、通常、投写のために空間が維持されている。したがって、このように構成されていると、フィルターユニットの着脱作業を投写レンズ側から行うことになるため、フィルターユニットの着脱作業に必要なスペースを容易に確保することができる。
【発明の効果】
【００１９】
本発明に係る投写型映像表示装置によれば、ダストボックスの塵埃取入口は常に水平方向に向かって開口しているため、回転ブラシの回転により除去された塵埃は、投写型映像表示装置の投写方向が変化しても安定してダストボックス内に貯留される。
【図面の簡単な説明】
【００２０】
【図１】本発明の実施の形態に係るフィルターユニットを用いた投写型映像表示装置の斜視図である。
【図２】同投写型映像表示装置における光学系機器の概略平面配置図である。
【図３】同投写型映像表示装置の側面図である。
【図４】同投写型映像表示装置の投写態様を示す図であり、（ａ）は上向き投写状態図であり、（ｂ）は天井吊投写状態図であり、（ｃ）は下向き投写状態図である。
【図５】同投写型映像表示装置に用いられるフィルターユニットの斜視図であり、正面に引き出した状態から上下反転させた状態図である。
【図６】図５の状態における同フィルターユニットの平面図である。
【図７】図５と同様の角度から見たフィルターユニットの斜視図であって、自走式掃除部が図５の待機位置から反対側の位置へ移動した状態図である。
【図８】図５の状態における同フィルターユニットの分解斜視図である。
【図９】図１のＡ−Ａ断面図である。
【図１０】同フィルターユニットにおける自走式掃除部周りの図面であり、自走式掃除部は内部を開放した状態で示している。
【図１１】同フィルターユニットにおける自走式掃除部の外観斜視図であって、（ａ）は反エアフィルタ側から見た外観斜視図であり、（ｂ）はエアフィルタ側から見た外観斜視図である。
【図１２】図６のＢ−Ｂ断面図である。
【図１３】図６のＣ−Ｃ断面図である。
【図１４】同フィルターユニットにおける自走式掃除部の断面図であって、図１０のＤ−Ｄ位置における内部を開放していない状態の断面図である。
【図１５】同自走式掃除部においてダストボックスを取り外すことのできる所定角度位置へ回動させた状態図である。
【図１６】図１５の状態の同自走式掃除部からダストボックスを上方へ取り外した状態図であって、（ａ）は分解斜視図であり、（ｂ）は取り外されたダストボックスの、見る角度を変更した斜視図である。
【図１７】同フィルターユニットにおけるダストボックスの回動軸を支持する軸受部の説明図であって、（ａ）はダストボックスの回動軸が嵌合されていない状態図であり、（ｂ）はダストボックスの回動軸が嵌合された掃除時の状態図であり、（ｃ）はダストボックスを所定角度位置に回動した状態図である。
【図１８】同ダストボックスにおける蓋部材の回動説明図であって、（ａ）は蓋部材を略９０度回動した状態図であり、（ｂ）は蓋部材を略１８０度回動した状態図である。
【図１９】同フィルターユニットにおけるダストボックスを固定する固定ねじ周りの断面図であって、（ａ）は固定ねじの螺合状態拡大図であり、（ｂ）は蓋部材側に形成されたガイド部の斜視図である。
【図２０】同フィルターユニットにおける自走式掃除部の断面図であって、図１０のＦ−Ｆ位置における内部を開放していない状態の断面図である。
【図２１】図２０におけるダストボックスのＥ-Ｅ断面図である。
【図２２】同フィルターユニットにおける自走式掃除部の断面図であって、図１０のＧ−Ｇ位置における内部を開放していない状態の断面図である。
【図２３】本実施の形態おける自走式掃除部の掃除動作説明図である。
【図２４】本実施の形態おける自走式掃除部の待機位置への帰還動作説明図である。
【発明を実施するための形態】
【００２１】
以下、本発明の実施の形態に係る投写型映像表示装置について図面を参照しながら説明する。なお、図１には、本実施の形態に係る投写型映像表示装置における正立投写状態時の外観斜視図を示すが、以下の説明において、特に断りなく上下方向、左右方向及び前後方向をいうときは、図１に図示した矢印の方向をいうものとする。
【００２２】
本実施の形態に係る投写型映像表示装置は、３板式液晶投写型映像表示装置であって、図１の外観斜視図に示すような箱型の外装ケース１を備えている。そして、この外装ケース１内には図２に示すような光学系２が内装されており、投写レンズ２Ａが外装ケース１の正面１１から突出するように配置されている。また、フィルターユニット３が、エアフィルタ装置として外装ケース１内の空気吸込口１２に沿って配置されるように、外装ケース１の正面１１から引き出し式に取り付けられている。なお、フィルターユニット３の吸込み側は、外装ケース１の左右側面１３に設けられた複数の切込み１４により機外に通じている。
【００２３】
光学系２は、図２に示すように、光源として放電式ランプからなる４個の光源ランプ２１が使用されている。この場合において、各光源ランプ２１は、光軸２１Ａが正面１１に対し平行となる方向に配置されている。また、４個の光源ランプ２１は、光路変更部材２１ａを用いることにより、所定の方向（この場合は正面に向かう方向）に射出されるように組み合わされている。
【００２４】
光源ランプ２１から出射された照明光は、インテグレータレンズ２２、偏光変換素子２３、コンデンサーレンズ２４ａを介し、赤、緑、青の各色光に分離する色分離光学系に導かれている。色分離光学系は、２種類のダイクロイックミラー２５ａ，２５ｂ、３個の全反射ミラー２６ａ，２６ｂ，２６ｃ、３個のリレーレンズ２７ａ，２７ｂ，２７ｃ、３個のコンデンサーレンズ２４ｒ，２４ｇ，２４ｂ等により構成されている。また、赤、緑、青の各色光に分離された照明光は、赤、緑又は青色用の液晶ライトバルブ２８ｒ，２８ｇ，２８ｂにより光変調され、クロスダイクロイックプリズム２９により合成されて映像光として投写レンズ２Ａから射出されている。これら光学系を構成する機器のうち冷却空気による冷却が必要とされるのは、最も高温となる光源ランプ２１の他、液晶ライトバルブ２８ｒ，２８ｇ，２８ｂを構成する液晶パネル、偏光板などや、偏光変換素子２３などである。
【００２５】
このように構成された投写型映像表示装置は、図３のような正立投写状態に設置される他、光源ランプ２１の光軸２１Ａが常に水平方向に配置される状態として、図３に示す矢印Ｒ１又はＲ２方向に回転させた状態で用いられる。図４はこれを具体的に示したもので、図４（ａ）は上向き投写状態、図４（ｂ）は天井吊投写状態、図４（ｃ）は下向き投写状態である。このように、光源ランプ２１の光軸２１Ａを常に水平方向とすることにより放電式ランプからなる光源ランプ２１の過熱が防止されている。
【００２６】
フィルターユニット３は、図１に、投写型映像表示装置の正面１１から前方に引き出した状態の斜視図が示されている。図５はこの状態から上下反転させた状態の斜視図であり、図６はその平面図である。また、図７は、自走式掃除部６０が図５の待機状態位置から反対側の端部へ移動した状態図である。そして、このエアフィルタ装置としてのフィルターユニット３は、図８の分解斜視図に示すように、ベース部材３０、ベース部材３０の風上側に設けられる第１エアフィルタ４０、自走式掃除部６０、ラック７０，取っ手部８０、ベース部材３０の風下側に設けられる第２エアフィルタ５０等から構成されている。
【００２７】
ベース部材３０は、図８に示すように、樹脂成形品であって、中央部に冷却空気を取り入れる開口部３１が形成されるとともに、この開口部３１を跨ぐように格子状のフレーム部３２が形成されている。また、ベース部材３０は、開口部３１周辺の枠部３３の正面１１側には取っ手部８０が取り付けられ、風上側表面部における正面１１から見た右側（すなわち、図５の図示位置）が非掃除時に自走式掃除部６０の位置する待機位置であり、取り付け初期時の位置とされている。また、ベース部材３０の左右側面には、このフィルターユニット３を正面１１の外側からスライド式に外装ケース１内に取り付ける際のレール部３４が形成されている。また、図８に示されるように、ベース部材３０の風上側表面部における開口部３１の前後の位置には、光源ランプ２１の光軸２１Ａと平行な方向に延びるようにラック７０がそれぞれ取り付けられている。このラック７０は、自走式掃除部６０を移動させるためのものである。
【００２８】
ベース部材３０の風上側表面部には、ベース部材３０の開口部３１に対応する位置に第１エアフィルタ４０が取り付けられている。第１エアフィルタ４０は、本発明におけるエアフィルタを意味する。
【００２９】
第１エアフィルタ４０は、図８に示すように、周辺枠部４１と、フィルタ面を複数に区分する格子枠形状のフレーム部４２と、空気中の塵埃を捕捉する多孔性の濾過材部４３とが樹脂一体成形により形成されたものであり、剛性強度を向上させるために周辺枠部４１には折り曲げ部４４が形成されている。また、第１エアフィルタ４０は、周辺枠部４１がベース部材３０の枠部３３に対しフィルタ面と略直角の方向からねじ止めされている。すなわち、図５に示すように、左右方向のねじ４０ａ及び前後方向のねじ４０ｂによりねじ止めされている。
【００３０】
ベース部材３０の風下側表面部には、ベース部材３０の開口部３１に対応して第２エアフィルタ５０が取り付けられている。
第２エアフィルタ５０は、図８に示すように、高分子繊維に静電気を帯電させた静電フィルタ部材５１と、クッション性を有する平らなウレタンシート部材５２とから構成されており、ウレタンシート部材５２がベース部材３０の周辺の枠部３３側、すなわち、静電フィルタ部材５１の風上側に取り付けられている。また、ベース部材３０の周辺の枠部３３の一部には、図９に示すように、コ字形枠部３５を形成するように押え部３５ａが開口部３１へ部分的に突出するように構成されている。したがって、２部材から構成された第２エアフィルタ５０は、風上側の面、すなわちウレタンシート部材５２の表面がベース部材３０の枠部３３の表面部に当接されるとともに、周辺の一部においてコ字形枠部３５内に押し込められるようにして取り付けられている。このように、第２エアフィルタ５０もベース部材３０の枠部３３に対しフィルタ面と略直角の方向から取り付けられている。
【００３１】
第２エアフィルタ５０を構成する静電フィルタ部材５１は、図９に示すように、シート状濾過材が左右方向にプリーツ折りされたものであって、第１エアフィルタ４０が捕捉する塵埃よりも微細な塵埃を捕捉することができる。ウレタンシート部材５２は、クッション性を有するので、周辺部の一部をコ字形枠部３５内に押し込んで固定する際に取り付けを容易にすることができる。
【００３２】
自走式掃除部６０は、本発明における掃除部として機能するものであって、図９に断面で示すとともに図１０に内部を開放して示すように、フィルターユニット３の風上側表面部において、長手方向が第１エアフィルタ４０の前後方向に延びるように配置されている。また、自走式掃除部６０は、樹脂成形品である搬送用基台６１に駆動部６２、伝動軸６３、回転ブラシ６４、ダストボックス６５、ワンウエイクラッチ６６、平歯車６７、ピニオン６８ａ，６８ｂなどの各種構成機器が取り付けられ、回転ブラシ６４、ダストボックス６５、駆動部６２等が一体的に移動できるように構成されたものである。また、自走式掃除部６０は、図１０に示すように、大きく分けて駆動部６２を収納する駆動室６０ａと、伝動軸６３、回転ブラシ６４及びダストボックス６５を収納する塵埃除去室６０ｂと、ワンウエイクラッチ６６、平歯車６７等を収納するクラッチ室６０ｃとに分離されている。
【００３３】
駆動室６０ａに収納される駆動部６２は、出力軸を左右方向にして配置されたモータ６２ａと、その出力軸の先端に取り付けられた傘歯車６２ｂと、傘歯車６２ｂと噛み合うように伝動軸６３に取り付けられた傘歯車６２ｃとから構成され、モータ６２ａのトルクが伝動軸６３に伝達されるように形成されている。
【００３４】
また、クラッチ室６０ｃには、伝動軸６３の後端部に取り付けられた平歯車６７と、この平歯車６７に噛み合う回転ブラシ６４の軸体６４ａに取り付けられたワンウエイクラッチ６６が収納されている。なお、伝動軸６３は、図１１（ａ），（ｂ）の自走式掃除部６０の外形図に示すように、前後の端部が搬送用基台６１から突出し、自走式掃除部６０の両端の外側（ベース部材３０の前後）にピニオン６８ａ，６８ｂが取り付けられている。また、このピニオン６８ａ，６８ｂは、光源ランプ２１の光軸２１Ａと平行な方向に延びるように取り付けられているラック７０と噛み合うように構成されている。
【００３５】
塵埃除去室６０ｂは、長手方向が第１エアフィルタ４０の前後方向に跨る程度の大きさのものであって、内部には伝動軸６３、回転ブラシ６４、ダストボックス６５が第１エアフィルタ４０側から順次配置されている。また、これら機器は、第１エアフィルタ４０の前後方向に跨って延びる程度の長さに形成されている。
【００３６】
そして図１０に示すように、伝動軸６３は、前述の駆動室６０ａにおける傘歯車６２ｂ，６２ｃの噛み合いにより、モータ６２ａにより回転駆動されるように構成されている。また、伝動軸６３の前後端において、ピニオン６８ａ，６８ｂがベース部材３０に取り付けられたラック７０と噛み合うように構成されているため、伝動軸６３の回転運動がピニオン６８ａ，６８ｂとラック７０の歯車機構により直線運動に変換されて、搬送用基台６１に伝達される。これにより、搬送用基台６１に各種構成機器が搭載された自走式掃除部６０は、第１エアフィルタ４０風上側表面部において、光源ランプ２１の光軸２１Ａと平行な方向に移動する。したがって、投写型映像表示装置が図３及び図４に示すように多様な投写方向に取り付けられたとしても、光源ランプ２１の光軸２１Ａが水平方向となるように設定されている以上、自走式掃除部６０の移動方向、すなわち回転ブラシ６４の移動方向は常に水平に維持される。
【００３７】
自走式掃除部６０は、モータ６２ａの駆動により図５の待機位置から図７の反対側の位置まで移動する。また、自走式掃除部６０がこの位置まで移動したときには位置センサ（不図示）が作動してモータ６２ａが反転され、自走式掃除部６０が再び待機位置へ戻るように構成されている。なお、ピニオン６８ａ，６８ｂは、自走式掃除部６０が図５の待機位置から図７の反対位置へ移動するときには正面１１から見て反時計方向に回転され、自走式掃除部６０が図７の反対位置から図５の待機位置へ戻るときには正面１１から見て時計方向に回転される。また、自走式掃除部６０がこのように円滑に移動することができるように、図１２及び図１３に示すように、自走式掃除部６０の前後面から平板状の突出部６０１が形成されるとともに、ベース部材３０におけるラック７０を取り付けている台座部３６，３７の側面にこの突出部６０１をスライドさせる凹溝３６ａ，３７ａが形成されている。なお、これら図におけるねじ３６ｂ及び３７ｂは、これら台座部３６，３７をベース部材３０に固定するためのものである。
【００３８】
回転ブラシ６４は、図１４の自走式掃除部６０の断面図（図１０におけるＤ−Ｄの位置における断面図）に示すように、金属や樹脂などの材料からなる軸体６４ａと、軸体６４ａに巻きつけられたブラシ部材６４ｂとから構成されている。また、軸体６４ａの後方の端部には、図１０に示すように、前述のワンウエイクラッチ６６が取り付けられている。
【００３９】
また、回転ブラシ６４は、図１４に示すように、その先端部により第１エアフィルタ４０から塵埃を掻き取ることができるように塵埃除去室６０ｂから上方（図１４の図面上においては下方）に向かって（第１エアフィルタ４０側に向かって）ブラシの先端部が搬送用基台６１の開口部６１ａから少し食み出すように形成されている。また、自走式掃除部６０が図５の待機位置から図７の反対位置へ移動する移動方向における回転ブラシ６４の後側にダストボックス６５が形成されている。
【００４０】
ダストボックス６５は、回転ブラシ６４の回転中心軸と平行に配置される細長容器であって、樹脂成形品として構成されている。また、ダストボックス６５には、回転ブラシ６４からの塵埃を受け入れる塵埃取入口６５Ａが回転ブラシ６４に向かって開口するように形成されている。そして、回転ブラシ６４とダストボックス６５とは、回転ブラシ６４の先端部がダストボックス６５の塵埃取入口６５Ａから内部に少し侵入するような位置関係に形成されている。
【００４１】
そして、ダストボックス６５における塵埃取入口６５Ａには、回転ブラシ６４に付着した塵埃を除去する除塵体６９が上方部から下方部（図１４の図面上においては下方部から上方部）に向けて形成されている。また、このダストボックス６５の塵埃取入口６５Ａの下方（図１４図面上の上方）部には、ダストボックス６５と回転ブラシ６４が収納されている部分とを仕切る仕切り部材６５１が形成されており、除塵体６９により回転ブラシ６４から除去されてダストボックス６５内に貯留された塵埃がダストボックス６５外へ飛散することを防止している。
【００４２】
また、ダストボックス６５は、図１５に示すように、長手方向両端において反回転ブラシ側の位置（回転ブラシ６４から遠くなる方に偏った位置）において搬送用基台６１に対し回転可能に軸支されている。また、ダストボックス６５は、自走式掃除部６０を上面とするようにフィルターユニット３を載置した状態において、塵埃取入口６５Ａが上方位置となる所定角度位置まで回動できるように構成されており、それ以上は回動できないように構成されている。なお、この実施の形態において、この所定角度θ（図１５参照）は、ダストボックス６５の回動角度の上限値であって、その一例として１１０度に設定されている。また、この所定角度は、所定位置へ回動した状態においては重心が回動側へ移動しており元へ戻りにくい状態となることを意味しているが、大きくなり過ぎると塵埃取入口６５Ａから塵埃が漏出しやすくなる。したがって、上記の所定角度θは、１１０度に特定されるものではなく、１０５度〜１２０度範囲内に設定されていればよい。また、ダストボックス６５の着脱については、図１６（ａ），（ｂ）に示すように、上記の所定角度位置へ回動された状態においてフィルターユニット３から取り外せることは勿論であるが、作業性を考慮し、塵埃取入口６５Ａが上方を向いている所定の角度範囲で着脱自在とすることが好ましい。この所定の角度範囲としては、回動角度が約８０度から上記所定角度θまでが好ましい。
【００４３】
ダストボックス６５をこのように回動可能とし、かつ着脱自在とするために、ダストボックス６５の長手方向両端の側面にはダストボックス６５の回動を所定角度位置に規制するための長円形平板状の回動規制部６５２と、この回動規制部６５２から突出する回動軸６５３とが設けられている（図１６参照）。また、回動軸６５３は、図１５、図１６等から分かるように搬送用基台６１に取り付けられている軸受部６１１に軸支されている。
【００４４】
軸受部６１１は、図１７に拡大図示するように、回動軸６５３を嵌合して回動自在とするための軸挿入部６１２と、回動規制部６５２と協働してダストボックスの回動角度及び着脱の制御を行う回動制御部６１３とから構成されている。軸挿入部６１２は、回動軸６５３を挿入して支持する半円形孔部６１２ａと、この半円形孔部６１２ａを図示上方へ開口するガイド部６１２ｂとを備えている。一方、回動制御部６１３は、回動規制部６５２の回動を許容する部分円形壁６１３ａと、掃除時には回動軸６５３が軸受部６１１から取り外されることを規制する規制壁６１３ｂと、所定角度位置においてそれ以上の回動を阻止するとともに回動規制部６５２を図示上方へ案内するガイド壁６１３ｃとから構成されている。
【００４５】
また、ダストボックス６５は、図１４の断面図からよく分かるように、エアフィルタ側に取り付けられる底部材６５４と、この底部材６５４に対し閉蓋するように取り付けられた蓋部材６５５との２部材から構成されている。
【００４６】
底部材６５４は、先端がダストボックス６５の塵埃取入口６５Ａまでの幅寸法であるが、蓋部材６５５は、先端が塵埃取入口６５Ａより先に延び回転ブラシ６４、伝動軸６３などを閉蓋するように、搬送用基台６１の側縁まで延びている。
【００４７】
また、蓋部材６５５は、図１４及び図１５から分かるように、先端に、搬送用基台６１の側縁上部に当接する折り曲げ辺６５５ｂが形成されている。また、折り曲げ辺６５５ｂの長手方向の中心部には、図２０に示すように、折り曲げ寸法を小さくした持ち手部６５５ｃが形成されている。この持ち手部６５５ｃが形成されることにより、持ち手部６５５ｃと搬送用基台６１の側縁上部との間に隙間６５５ｄを形成している。この隙間６５５ｄは、指先を入れてダストボックス６５の回動作業を容易にするためのものである。また、蓋部材６５５は、図１６に示すように、回転ブラシから遠い方の長辺部で底部材６５４に対し、２箇所で回転自在に軸支されている。この軸支構造は、図１８に示すように、軸部６５４ａが底部材６５４に設けられ、この軸部６５４ａに対し弾性的に回転自在に係合される係合部６５５ａが蓋部材６５５に設けられたものである。そして、この蓋部材６５５は、図１８に示すように、ダストボックス６５が搬送用基台６１から取り外された状態において、底部材６５４に対し閉蓋位置から１８０度開放されるように構成されている。なお、前述の回動規制部６５２及び回動軸６５３が蓋部材６５５に形成されている。
【００４８】
軸受部６１１により軸支されるダストボックス６５は、取り外すとき以外においては、図１４に示すように、蓋部材６５５の先端部が搬送用基台６１に対し固定ねじ６５６によりねじ止めされて、回動しないように固定されている。この搬送用基台６１には固定ねじ６５６が螺合される雌ねじ部６１４がインサートにより樹脂一体成形されている。また、搬送用基台６１には、図２０に示すように、回転ブラシ６４を第１エアフィルタ４０側に覗かせる開口部６１ａが形成されているが、底部材６５４の先端の中央部に搬送用基台６１に突出する突出部６５４ｂが形成されており、この突出部６５４ｂが開口部６１ａの口縁に係合するように構成されている。
【００４９】
この固定ねじ６５６は、図１９にこのねじ部を拡大図示するように、軸部６５６ａの下方部におねじ６５６ｂが切られており、このおねじ６５６ｂの直径が頭部６５６ｃ近くの軸部６５６ａの直径より大きく形成されている。また、この固定ねじ６５６を貫通させる蓋部材６５５の貫通孔６５７の直径が、おねじ６５６ｂの外径と略同径に形成されている。このため、貫通孔６５７におねじ６５６ｂを貫通させるためには、固定ねじ６５６を締結するように回しながら入れる必要がある。この結果、おねじ６５６ｂが貫通孔６５７に挿入された後は、固定ねじ６５６が簡単に抜ける心配がなく、固定ねじ６５６を紛失するおそれが少ない。なお、蓋部材６５５には、図１９に示すように、固定ねじ６５６を雌ねじ部６１４へ導くための半割れ円筒状のガイド部６５８が形成されている。
【００５０】
また、ダストボックス６５には、図１０に示すように平板状部材からなる３個の仕切壁６５９が形成されている。仕切壁６５９は、その平板面が回転ブラシ６４の移動方向（すなわち、光源ランプ２１の光軸２１Ａと平行な方向）を向くように底部材６５４と一体的に形成されている。また、蓋部材６５５の中央内面側には、図２０に示すように、蓋部材６５５と底部材６５４とを閉蓋状態に固定するための突状係合部６５５ｅが形成されるとともに、中央の仕切壁６５９の先端には、突状係合部６５５ｅに係合する突状係合部６５９ａが形成されている。そして、突状係合部６５５ｅと突状係合部６５９ａとを係合させる場合に突状係合部６５９ａの弾性的変位を容易化するために、突状係合部６５９ａから少し離れた位置に細長切欠６５９ｂが形成されている。以上のように構成されることにより、蓋部材６５５が底部材６５４に対して閉蓋状態を保持するときには、蓋部材６５５の突状係合部６５５ｅが中央の仕切壁６５９の突状係合部６５９ａに対し弾性的に係合し、これにより蓋部材６５５と底部材６５４とが一体化されている。
【００５１】
ダストボックス６５は、上記のように３個の仕切壁６５９が形成されることにより４個の室に分割されている。したがって、例えば、上向き投写方向の場合には図２１に示すようにダストボックス６５が鉛直方向に縦長の配置となるが、ダストボックス６５が４個に仕切られているため、回転ブラシ６４により掻き取られてダストボックス６５内に貯留された塵埃が一端部に偏って貯留されることがない。また、この仕切壁６５９は、ダストボックス６５の強度を増すリブとしても作用する。
【００５２】
ダストボックス６５の塵埃取入口６５Ａに取り付けられる除塵体６９は、図２２に示すように、底部材６５４に平行な取付面部６９１で取り付けられるように構成された逆への字型部材であって、ステンレス等の金属により形成されている。そして、除塵体６９には、底部材側から斜めに起立する斜行面部６９２が形成され、その先端部に、塵埃除去運転中の回転ブラシ６４の先端部を梳くように櫛歯状部６９３が形成されている。このような除塵体６９は、次のような２種類の係合構造により取り付けられている。第１の係合構造として、底部材６５４の３箇所に鍵型起立部６５４ｃが形成され（図１４及び図１０参照）、この鍵型起立部６５４ｃの内面側に係合する斜行突起部６９１ａが取付面部６９１に形成されている。また、第２の係合構造として、底部材６５４の４箇所に円形突部６５４ｄが形成され（図２２及び図１０参照）、この円形突部６５４ｄに係合する貫通孔６９１ｂが取付面部６９１に形成されている。除塵体６９は、この２種類の複数箇所の係合構造により底部材６５４に固定されている。
【００５３】
この実施の形態における取っ手部８０の内側であって、ベース部材３０の側方に位置する部分には、図１に示すように、このフィルターユニット３の電源及び制御線を接続するためのコネクタ９０が取り付けられている。また、このコネクタ９０は、外装ケース１側に取り付けられた電源及び制御線用のコネクタ９１に接続される。そして、この接続によりフィルターユニット３が投写型映像表示装置本体に対し電気的に接続され、投写型映像表示装置の操作部又は制御部からの指令に基づき操作されるように構成されている。フィルターユニット３側のコネクタ９０と外装ケース１側のコネクタ９１との接続は、直接人手により接続されるのではなく、外装ケース１に対しフィルターユニット３をスライド式に取り付ける際に、フィルターユニット３を外装ケース１内へ押し込む力を利用して行われる。
【００５４】
（掃除動作）
上記のように構成されたフィルターユニット３は、次のようにして自動的に掃除が行われる。
【００５５】
フィルターユニット３は、目詰まりセンサ（不図示）により第１エアフィルタ４０の目詰まりが検出されたときに運転される。目詰まりセンサは、特に限定されるものではなく、例えば、第１エアフィルタ４０が目詰まりを生じることにより、通風抵抗が増大し送風機用電動機（不図示）の電流値が増大することを検出するものが用いられている。
【００５６】
フィルターユニット３が運転されるときは、モータ６２ａが駆動され伝動軸６３及びピニオン６８ａ，６８ｂが回転されることにより自走式掃除部６０が図５に示す待機位置から図７に示す反対側の位置に向かって移動する。この移動方向は、図２３に示す実線矢印Ｍ１の方向であって、光源ランプ２１の光軸２１Ａと平行な方向になる。したがって、投写型映像表示装置の投写方向がどのような方向であっても、光軸２１Ａが水平面となるように取り付けられている。このため、フィルターユニット３のフィルタ面が垂直方向となることはあっても、自走式掃除部６０の移動方向は、常に水平方向となる。この結果、図３、図４（ａ），（ｂ），（ｃ）のように投写方向が変わってもフィルターユニット３の重量によるモータ６２ａの負荷が大きく変わることがなく、自走式掃除部６０が安定した動作で駆動される。
【００５７】
回転ブラシ６４は、第１エアフィルタ４０を押圧しながら図２３における実線矢印Ｍ２の回転方向に回転することにより、第１エアフィルタ４０に付着している塵埃Ｑ１が掻き取られる。また、回転ブラシ６４により掻き取られて回転ブラシ６４に付着している塵埃Ｑ２は、ダストボックス６５の塵埃取入口６５Ａにおいて除塵体６９の櫛歯状部６９３によりダストボックス６５内に振り落とされて、ダストボックス６５内に貯留される。また、掃除時において、ダストボックス６５の塵埃取入口６５Ａは、常に回転ブラシ６４の移動方向に向かって開放されているため、塵埃取入口６５Ａが下向きとなることがなく、第１エアフィルタ４０から除去された塵埃がダストボックス６５から漏出することがない。
【００５８】
このようにして自走式掃除部６０が第１エアフィルタ４０の塵埃を掻き取りながら図７に示す反対側の位置に到達すると、位置センサ（不図示）がこれを検出し、モータ６２ａが反転する。そして、自走式掃除部６０が図５の待機位置へ移動する。図２４は、この移動時の説明図であって、実線矢印Ｍ３が移動方向を示す。自走式掃除部６０の待機位置への移動に際し、回転ブラシ６４を反転させると回転ブラシ６４に付着した塵埃Ｑ２が再飛散する可能性がある。そこで、本実施の形態においてはワンウエイクラッチ６６によりモータ６２ａの回転トルクが回転ブラシ６４に伝達されないように構成されている。
【００５９】
ダストボックスは、光源ランプ２１の光軸２１Ａに平行な方向に仕切る仕切壁６５９により内部が長手方向に複数室に仕切られているので、回転ブラシ６４から除去された塵埃が各室に平均的に貯留される。上向き投写設置や下向き投写設置の場合には、ダストボックス６５の長手方向が鉛直方向となることがあるが、塵埃がダストボックス６５の一端部に偏って貯留されることがない。したがって、ダストボックス６５の内容積が塵埃を溜めるのに有効に活用される。これにより、ダストボックス６５内の塵埃廃棄の周期を長くすることができる。なお、上記仕切壁６５９は、平板状部材からなるので、簡単な構成とすることができるとともに、仕切壁６５９をダストボックス６５の強度を向上させるリブとして作用させることができる。
【００６０】
（メンテナンス作業）
次に、以上のように掃除されるフィルターユニット３のメンテナンスは次のようにして行われる。
【００６１】
第１エアフィルタ４０は、以上のような動作により自動的に繰り返し掃除されるが、長期間使用すると第１エアフィルタ４０に塵埃が付着して残存する量が増大する。したがって、第１エアフィルタ４０の洗浄、交換などのメンテナンスは、第１エアフィルタ４０を取り外して掃除していた場合と比較すると極端にその回数を減らすことができる。しかしながら、長期間使用した場合は第１エアフィルタ４０に付着したまま残る塵埃量も増加するため、適切な期間をおいて第１エアフィルタ４０を取り外して掃除したり、場合によっては新しいものと交換したりする必要の生じることは避け難い。本実施の形態は、このような場合に次のようにして第１エアフィルタ４０のメンテナンスを行うことができる。
【００６２】
先ず、投写型映像表示装置の正面１１側からフィルターユニット３を引き出して取り外す。このとき、フィルターユニット３側のコネクタ９０とベース部材３０側のコネクタ９１は直接手を触れることなく分離するように構成されている。したがって、この場合にフィルターユニット３に接続されているコンセントを手で抜く必要はない。
【００６３】
次いで、引き出されたフィルターユニット３は、図５のように上下反転されて適宜の位置に載置される。そして、この状態においてベース部材３０のフィルタ面に対し直角の方向からねじ４０ａ及びねじ４０ｂを取り外すことにより、自走式掃除部６０に干渉されることなく、第１エアフィルタ４０をベース部材３０のフィルタ面に対し直角の方向に取り外すことができる。第１エアフィルタ４０は、このようにして容易に取り外すことができ、適切な方法で洗浄又は掃除することができる。また、第１エアフィルタ４０が極端に古くなっている場合には、第１エアフィルタ４０を新品と交換することもできる。また、洗浄又は掃除された第１エアフィルタ４０及び新品の第１エアフィルタ４０は、ベース部材３０の開口部３１に対応する所定の位置に載置した後、ねじ４０ａ及びねじ４０ｂを締結することにより、自走式掃除部６０に干渉されることなく、容易に取り付けることができる。
【００６４】
また、第２エアフィルタ５０について、洗浄、掃除、交換などのメンテナンスを行う場合は、第２エアフィルタ５０をベース部材３０の枠部３３に対しフィルタ面と直角の方向から容易に取り外すことができる。すなわち、この場合は、フィルターユニット３を投写型映像表示装置の正面１１から引き出し、図１の状態として適宜の位置に載置する。そして、コ字形枠部３５から第２エアフィルタ５０の周辺部を引き出すことにより、第２エアフィルタ５０を取り外すことができる。また、洗浄又は掃除後の第２エアフィルタ５０を取り付けるときは、ウレタンシート部材５２の表面をベース部材３０の枠部３３の表面部に当接するとともに、静電フィルタ部材５１とウレタンシート部材５２とを重ね合わせた組合せ物の周辺部を部分的にコ字形枠部３５内に押し込めることにより、第２エアフィルタ５０を容易に取り付けることができる。このように、第２エアフィルタ５０の着脱も自走式掃除部６０に干渉されることなく容易に行うことができる。
【００６５】
また、ダストボックス内に溜まった塵埃を廃棄するときは、フィルターユニット３を投写型映像表示装置の正面１１側から引き出し、これを図５のように反転して適宜の場所に載置する。そして、図１４に図示されている固定ねじ６５６を外し、図１５に示すようにダストボックスを所定角度位置へ回動する。次いで図１６に示すようにダストボックス６５を引き上げる。これにより、ダストボックス６５から塵埃を漏出させることなく、ダストボックス６５をフィルターユニット３から取り外すことができる。なお、固定ねじ６５６のおねじ６５６ｂ（図１９参照）の外径は、蓋部材６５５の貫通孔６５７の内径と略同寸に形成されているので、固定ねじ６５６が蓋部材６５５から外れて紛失することがない。
【００６６】
そして、フィルターユニット３から取り外されたダストボックス６５の底部材６５４に対し閉蓋する蓋部材６５５を図１８に示すように回動する。この場合、蓋部材６５５の一部が底部材６５４に当接するまで回動することができる。この実施の形態においては、１８０度まで蓋部材６５５を回転することができるように構成されている。このように開くには、蓋部材６５５の突状係合部６５５ｅとダストボックス６５における中央の仕切壁６５９の突状係合部６５９ａとの係合を取り外すことが必要であり、この係合を外すことにより、底部材６５４に対し蓋部材６５５を自由に回動させることができる。また、この係合を外すときは、一方の手は蓋部材６５５の長手方向の中央部を持ち、他方の手で底部材６５４の先端部中央に形成されている突出部６５４ｂを持って開くと簡単に開くことができる。
【００６７】
また、ダストボックス６５を取り外した状態においては、図１６に図示するように回転ブラシ６４が露出された状態となるので、回転ブラシ６４を、掃除機等を使用して掃除することもできる。
【００６８】
そして、ダストボックス６５及び回転ブラシ６４のメンテナンス作業が終了したときは、上記と逆のように操作して、ダストボックス６５を組み立てて、フィルターユニット３に取り付ける。
【００６９】
フィルターユニット３の投写型映像表示装置への取り付けは、投写型映像表示装置の正面１１側外部からスライド式に行う。投写型映像表示装置の正面側は、投写側であって投写のため空間が通常設けられている。このため、フィルターユニット３の着脱のためのスペースを容易に確保することができる。フィルターユニット３がスライド式に差し込まれると、取っ手部８０の裏側に取り付けられたコネクタ９０と外装ケース１に取り付けられたコネクタ９１とが、挿入時の力により自動的に接続される。これにより、フィルターユニット３は、投写型映像表示装置本体と電気的に接続され、投写型映像表示装置本体の運転動作と連携して運転制御される。これにより、投写型映像表示装置の運転を再開することができる。
【００７０】
本実施の形態に係る投写型映像表示装置によれば次の効果を奏することができる。
（１）本発明に係る投写型映像表示装置のエアフィルタ装置によれば、自走式掃除部６０が第１エアフィルタ４０の風上側表面部を待機位置から反対側に位置へ向けて移動することにより、第１エアフィルタ４０を取り付けた状態のままで第１エアフィルタ４０に付着した塵埃を回転ブラシ６４により除去することができる。
【００７１】
（２）また、第１エアフィルタ４０を従来技術のようにベース部材３０上で移動させる必要がないので、第１エアフィルタ４０の収納スペースを小さくすることができる。
（３）また、回転ブラシ６４が光源ランプ２１の光軸２１Ａと平行な方向に移動されているので、光源ランプ２１の光軸２１Ａの方向を水平に保持した状態で投写型映像表示装置の投写方向を３６０度変更させても、回転ブラシ６４は常に水平方向に移動されている。そして、ダストボックス６５の塵埃取入口６５Ａが回転ブラシ６４の移動方向に向かって開口するように形成されているので、塵埃取入口６５Ａも常に水平方向に向かって開口している。したがって、ダストボックス６５に貯留される塵埃がダストボックス６５から漏出するおそれがない。
【００７２】
（４）また、回転ブラシ６４とダストボックス６５とが一体的に移動可能に構成されているので、回転ブラシ６４とダストボックス６５との相対位置関係が常に一定の状態となり、回転ブラシ６４を利用してダストボックス６５の塵埃取入口６５Ａからの塵埃の漏出をより確実に防止することができる。
【００７３】
（５）回転ブラシ６４の移動方向が常に水平方向となるため、モータ６２ａは、フィルターユニット３の重力による負荷の変動が少なく、安定した回転速度で安定した掃除が行われる。
【００７４】
（６）ダストボックス６５の塵埃取入口６５Ａに、掃除運転中の回転ブラシ６４の先端部を梳く櫛歯状部６９３が除塵体６９として取り付けられているので、回転ブラシ６４に付着した塵埃Ｑ２を効率よく除去するとともに、除去した塵埃を容易にダストボックス６５内に取り入れることができる。
【００７５】
（７）ダストボックス６５は、仕切壁６５９により内部が長手方向に複数室に仕切られているので、回転ブラシ６４から除去された塵埃が各室に平均的に貯留される。したがって、上向き投写設置や下向き投写設置の場合のように、ダストボックス６５が長手方向を鉛直方向として設置される場合にあっても、塵埃が下方となる端部に集中して溜まることがなく、ダストボックス６５内の塵埃廃棄の周期を長くすることができる。
【００７６】
（８）エアフィルタ装置としてのフィルターユニット３は、投写型映像表示装置の外部から着脱自在に取り付けられるように構成されているので、投写型映像表示装置から取り出した状態で、ダストボックス６５の塵埃廃棄、第１エアフィルタ４０及び第２エアフィルタ５０の掃除などのメンテナンスを行うことができ、メンテナンス作業が楽になる。また、多様な状態に取り付けられる投写型映像表示装置に好適なエアフィルタ装置とすることができる。
【００７７】
（９）本実施の形態に係るフィルターユニット３は、投写レンズ２Ａが突出する正面１１側からスライド式に着脱自在に取り付けられるので、フィルターユニット３の着脱作業に必要なスペースを容易に確保することができる。
【００７８】
（変形例）
本発明は、上記実施の形態において以下のように変更することができる。
・上記実施の形態における掃除部は、回転ブラシ６４とダストボックス６５とが一体的に移動する自走式掃除部６０として構成されていたが、回転ブラシ６４のみを回転させながら移動させるとともに、ダストボックス６５を待機位置に固定的に取り付けるような構成としてもよい。この場合、第１エアフィルタ４０から回転ブラシ６４により掻き取られた塵埃は、回転ブラシ６４がダストボックス６５へ戻ったときに、適宜の除塵体により回転ブラシ６４からダストボックス６５内へ除去されるように構成することができる。また、この場合において、ダストボックス６５の塵埃取入口６５Ａには、回転ブラシ６４がダストボックス６５から離れている間、塵埃取入口６５Ａを閉じる開閉扉を設けるようにしてもよい。この開閉扉を設けることにより、塵埃取入口６５Ａからの塵埃の漏出をより確実に防止することができる。
【００７９】
・また、この掃除部は、モータ６２ａにより駆動される構成とされているが、このようなモータ駆動に限定されるものではなく、回転ブラシ６４及びダストボックス６５を備えた掃除部を手動により駆動させるようにしてもよい。また、手動により回転ブラシ６４のみを移動及び回転させるようにしてもよい。なお、この駆動操作を正面１１から行うことができるように、正面１１に掃除部に連結される駆動ハンドルの取付部を設け、この取付部に駆動ハンドルを取り付けることにより駆動可能とすると、異物感を与えることのないデザインとすることが可能となる。
【００８０】
・また、前記実施の形態においては、自走式掃除部６０を自走させる搬送機構としてラック７０及びピニオン６８ａ，６８ｂが用いられているが、このような構成に限定されるものではない。例えば、送りねじを利用して自走式掃除部６０を自走させるようにしてもよい。
【００８１】
・また、前記実施の形態においては、ダストボックス６５の塵埃取入口６５Ａを形成するために仕切り部材６５１が設けられていたが、回転ブラシ６４と蓋部材６５５との隙間を小さくするとこの仕切り部材６５１を省略することもできる。
【００８２】
・第１エアフィルタ４０は、前記実施の形態において周辺枠部４１及びフレーム部４２と空気中の塵埃を捕捉する多孔性の濾過材部４３とが樹脂一体成形されていたが、両者を別々に製作し接着することもできる。
【００８３】
・また、第１エアフィルタ４０は、前記実施の形態において開口部３１周辺の枠部３３に対しねじ止めされていたが、この枠部３３に対し前後左右何れかの方向からスライド式に取り付けるようにしてもよい。
【００８４】
・また、第２エアフィルタ５０は、前記実施の形態において静電フィルタ部材５１とウレタンシート部材５２との２部品から構成されていたが、ウレタンシート部材５２を省略することもできる。また、このようなウレタンシート部材５２のみならず第２エアフィルタ５０全体を省略したものとしてもよい。
【００８５】
・また、第２エアフィルタ５０を取り付けるためのコ字形枠部３５は、前記実施の形態においてベース部材３０の開口部３１周辺の各辺において部分的に形成されているが、このコ字形枠部３５をプリーツ折り目と平行な辺については全体的に形成するようにしてもよい。
【００８６】
・また、フィルターユニット３の運転は、前記実施の形態においては目詰まりセンサにより第１エアフィルタ４０の目詰まりが検出されたときに運転されていたが、これを投写型映像表示装置の投写が終了時にその都度自動的に作動するようにしてもよい。また、定期的に運転したり、クリーニングスイッチが投入された場合に運転したりするなど他の適宜の方法に変更することもできる。
【００８７】
・また、投写型映像表示装置は、前記実施の形態においては３板式の透過型液晶ライトバルブ２８ｒ，２８ｇ，２８ｂを用いた光学系２としているが、単板式等の他形式の光学系を用いたものとしてもよい。
【産業上の利用可能性】
【００８８】
本発明に係る投写型映像表示装置は、液晶プロジェクタを初めとする種々の投写型映像表示装置に適用することができる。
【符号の説明】
【００８９】
Ｑ１，Ｑ２…塵埃、２Ａ…投写レンズ、３…フィルターユニット、１１…正面、１２…空気吸込口、２１…光源ランプ、２１Ａ…光軸、４０…第１エアフィルタ、６０…自走式掃除部、６２ａ…モータ、６４…回転ブラシ、６５…ダストボックス、６５Ａ…塵埃取入口、６９…除塵体、６５９…仕切壁、６９３…櫛歯状部。
【図１】
2011257549.tif 000003
【図２】
2011257549.tif 000004
【図３】
2011257549.tif 000005
【図４】
2011257549.tif 000006
【図５】
2011257549.tif 000007
【図６】
2011257549.tif 000008
【図７】
2011257549.tif 000009
【図８】
2011257549.tif 000010
【図９】
2011257549.tif 000011
【図１０】
2011257549.tif 000012
【図１１】
2011257549.tif 000013
【図１２】
2011257549.tif 000014
【図１３】
2011257549.tif 000015
【図１４】
2011257549.tif 000016
【図１５】
2011257549.tif 000017
【図１６】
2011257549.tif 000018
【図１７】
2011257549.tif 000019
【図１８】
2011257549.tif 000020
【図１９】
2011257549.tif 000021
【図２０】
2011257549.tif 000022
【図２１】
2011257549.tif 000023
【図２２】
2011257549.tif 000024
【図２３】
2011257549.tif 000025
【図２４】
2011257549.tif 000026